(57)【要約】【目的】    トイレットペーパー自身が歪んでいたとしても、トイレットペーパーを引き出した際に異音が発生しないようにする。【構成】  ロール状に巻回されたトイレットペーパー５００を回転可能に保持するペーパー保持部１００Ａと、このペーパー保持部１００Ａに保持されたトイレットペーパー５００の上方に被さるカバー部２００Ａと、このカバー部２００Ａの表側に取り付けられた制振シート３００Ａとを有している。なお、制振シート３００Ａは、ゴムからなり、受けた外力をほとんど反発することなく吸収するものである。【選択図】      図１
2005323859.tif 000002
【特許請求の範囲】
【請求項１】
ロール状に巻回されたトイレットペーパーを回転可能に保持するペーパー保持部と、このペーパー保持部に保持されたトイレットペーパーの上方に被さるカバー部と、このカバー部の表側又は／及び裏側に取り付けられた制振シートとを具備したことを特徴とするトイレットペーパーホルダー。
【請求項２】
前記ペーパー保持部は、トイレットペーパーの筒部に挿入される支持軸と、この支持軸の両端を保持する一対の保持板部と、この保持板部が連結される取付部とを有しており、前記保持板部には制振シートが取り付けられていることを特徴とする請求項１記載のトイレットペーパーホルダー。
【請求項３】
前記制振シートには、酸化チタン及び／又は芳香剤が混合されていることを特徴とする請求項１又は２記載のトイレットペーパーホルダー。
【請求項４】
ロール状に巻回されたトイレットペーパーを回転可能に保持するペーパー保持部と、このペーパー保持部に保持されたトイレットペーパーの上方に被さるカバー部と、このカバー部に取り付けられた制振シートとを具備しており、前記カバー部は２枚の板材からなり、前記制振シートは２枚の板材の間に挟み込まれたことを特徴とするトイレットペーパーホルダー。
【請求項５】
前記ペーパー保持部は、トイレットペーパーの筒部に挿入される支持軸と、この支持軸の両端を保持する一対の保持板部と、この保持板部が連結される取付部とを有しており、前記保持板部には制振シートが取り付けられていることを特徴とする請求項４記載のトイレットペーパーホルダー。
【請求項６】
前記制振シートには、酸化チタン及び／又は芳香剤が混合されており、前記カバー部を構成する２枚の板材には、開口が開設されており、前記制振シートが露出されていることを特徴とする請求項４又は５記載のトイレットペーパーホルダー。
【発明の詳細な説明】
【技術分野】
【０００１】
本発明は、トイレットペーパーホルダーに関する。
【背景技術】
【０００２】
トイレットペーパーホルダーは、ロール状に巻回されたトイレットペーパーを回転可能に保持するペーパー保持部と、このペーパー保持に保持されたトイレットペーパーの上方に被さるカバー部とを有している。ペーパー保持部が壁面に取り付けられることで、トイレットペーパーホルダー全体が壁面に取り付けられるようになっている。また、カバー部は、先端は引き出したトイレットペーパーを切断するための切断部となっている。
【０００３】
例えば、特開２０００−１５７４４４号公報、特開平０９−１７３２４１号等に記載されたものがある。
【０００４】
【特許文献１】特開２０００−１５７４４４号公報
【特許文献２】特開平０９−１７３２４１号
【発明の開示】
【発明が解決しようとする課題】
【０００５】
ところで、トイレットペーパーは、ロール状に巻回されており、引き出して使用するが、引き出す際にペーパー保持部に保持されたトイレットペーパーが回転し、カバー部がカラカラと異音を発生する。この異音を解消することを目的としたトイレットペーパーホルダーは、存在しなかった。
【０００６】
ここで、トイレットペーパーは、トイレットペーパーの筒部が真円ではなく、若干歪んでいるため、トイレットペーパー自身も歪んでいる。このトイレットペーパー自身の歪みがあるため、トイレットペーパーを引き出すと、カバー部が上下動するため、前記異音が発生するのである。
【０００７】
本発明は、上記事情に鑑みて創案されたもので、トイレットペーパーを引き出す際にも異音がしないトイレットペーパーホルダーを提供することを目的としている。
【課題を解決するための手段】
【０００８】
本発明に係るトイレットペーパーホルダーは、ロール状に巻回されたトイレットペーパーを回転可能に保持するペーパー保持部と、このペーパー保持部に保持されたトイレットペーパーの上方に被さるカバー部と、このカバー部の表側又は／及び裏側に取り付けられた制振シートとを備えている。
【０００９】
また、前記制振シートには、酸化チタン及び／又は芳香剤が混合されているとよい。
【００１０】
一方、本発明に係る他のトイレットペーパーホルダーは、ロール状に巻回されたトイレットペーパーを回転可能に保持するペーパー保持部と、このペーパー保持部に保持されたトイレットペーパーの上方に被さるカバー部と、このカバー部に取り付けられた制振シートとを備えており、前記カバー部は２枚の板材からなり、前記制振シートは２枚の板材の間に挟み込まれている。
【００１１】
また、前記制振シートには、酸化チタン及び／又は芳香剤が混合されており、前記カバー部を構成する２枚の板材には、開口が開設されており、前記制振シートが露出されている。
【発明の効果】
【００１２】
本発明に係るトイレットペーパーホルダーは、トイレットペーパーの上に被さるカバー部の表側又は／及び裏側に制振シートが取り付けられているので、トイレットペーパーを引き出す際に発生するカラカラという異音が発生しない。
【００１３】
また、前記制振シートに酸化チタンを混合しておくと、トイレ室にありがちな臭いの元である、例えば、アンモニア、硫化水素、メタルメルカプタンを分解することができるので、トイレ室にありがちな臭いの消臭を図ることができる。また、酸化チタンの殺菌、抗菌作用によって、トイレ室の衛生環境を良好に維持することも可能になる。また、酸化チタンの他に芳香剤をも制振シートに混合しておくと、酸化チタンによる消臭効果の他に、芳香剤による芳香効果も加味されるというメリットがある。
【００１４】
また、カバー部を２枚の板材と、この板材の間に挟み込まれた制振シートとから構成すると、トイレットペーパーを引き出す際に発生するカラカラという異音が発生しない上に、カバー部自体が重くなるので、トイレットペーパーの切断が容易になるというメリットも奏する。
【００１５】
また、この場合、制振シートに酸化チタンを混合した場合、カバー部を構成する２枚の板材に開口を開設しておき、そこから前記制振シートが露出されるようにすると、制振シートが外気に触れるので、酸化チタンの消臭、殺菌、抗菌作用を発揮させることが可能となる。また、酸化チタンの他に芳香剤をも制振シートに混合しておくと、酸化チタンによる消臭効果の他に、芳香剤による芳香効果も加味されるというメリットがある。
【発明を実施するための最良の形態】
【００１６】
図１は本発明の第１の実施の形態に係るトイレットペーパーホルダーの概略的斜視図、図２は本発明の第２の実施の形態に係るトイレットペーパーホルダーの概略的一部破断斜視図、図３は本発明の第２の実施の形態に係るトイレットペーパーホルダーの変形例の概略的一部破断斜視図である。
【００１７】
本発明の第１の実施の形態に係るトイレットペーパーホルダーＡは、ロール状に巻回されたトイレットペーパー５００を回転可能に保持するペーパー保持部１００Ａと、このペーパー保持部１００Ａに保持されたトイレットペーパー５００の上方に被さるカバー部２００Ａと、このカバー部２００Ａの表側に取り付けられた制振シート３００Ａとを有している。
【００１８】
前記ペーパー保持部１００Ａは、トイレットペーパー５００の円筒形の筒部５１０に挿入される図示しない支持軸と、この支持軸の両端を保持する一対の平行になった保持板部１１０Ａと、この保持板部１１０Ａが連結される取付部１２０Ａとを有している。前記支持軸は、合成樹脂製であって、両端部には蛇腹部が形成されている。また、この支持軸の両端面には、前記保持板部１１０Ａに設けられた凹部（図示省略）に嵌まり込む突起（図示省略）が突設されている。蛇腹部を若干縮めた状態で前記突起を穴（図示省略）に嵌め込むことによって、支持軸がペーパー保持部１００Ａに取り付けられるのである。
【００１９】
一方、前記一対の保持板部１１０Ａは、図１に示すように、略三角形状に形成されており、一般的なトイレットペーパー５００の幅寸法より若干大きな間隔で平行して設けられている。かかる保持板部１１０Ａの基端側は、各保持板部１１０Ａに対して直交する方向にある取付部１２０Ａによって連結されている。この取付部１２０Ａは、トイレットペーパーホルダーＡをトイレ室の壁面に取り付けるためのものであって、取付用ビス（図示省略）が貫通する複数の貫通孔（図示省略）が開設されている。なお、この保持板部１１０Ａ及び取付部１２０Ａは、例えばステンレス板から構成されている。
【００２０】
また、前記カバー部２００Ａは、保持板部１１０Ａ等と同様にステンレス板から構成されており、このカバー部２００Ａの基端側は、取付軸（図示省略）が挿入される筒状の軸受部（図示省略）となっている。前記軸受部に挿入された前記取付軸は、前記保持板部１１０Ａの基端側上部に取り付けられている。これによって、カバー部２００Ａは、ペーパー保持部１００Ａに図１に矢印ａで示す方向に変位可能に取り付けられたことになる。また、このカバー部２００Ａは、トイレットペーパー５００の形状に沿うように略１／４円弧状に形成されている。
【００２１】
かかるカバー部２００Ａの表側には、制振シート３００Ａが貼り付けによって取り付けられている。ここで、制振シート３００Ａは、ゴムからなり、受けた外力をほとんど反発することなく吸収するものである。この制振シート３００Ａとしては、例えば、内外ゴム株式会社製の『ハネナイト』（登録商標）等を使用する。
【００２２】
なお、この制振シート３００Ａは両面粘着テープや接着剤等の適宜な手段によって、カバー部２００Ａのほぼ全面にわたって表側に取り付けられる。かかる制振シート３００Ａには、イラスト等を描くことやイラスト等が描かれたシートを表側に貼り付けることで、無機質になりがちなトイレ室を華やかに演出することも可能である。
【００２３】
このように構成されたトイレットペーパーホルダーＡによると、トイレットペーパー５００自身が歪んでいてカバー部２００Ａが上下動したとしても、制振シート３００Ａの効果によってカラカラという異音は発生しないのである。
【００２４】
上述した第１の実施の形態では、カバー部２００Ａの表側にのみ制振シート３００Ａを取り付けるとしたが、カバー部２００Ａの裏側に制振シート３００Ａを取り付けてもよい。カバー部２００Ａの裏側に制振シート３００Ａを取り付ける場合には、制振シート３００Ａは、使用者の目に触れることがないので、カバー部２００Ａをステンレス板で構成してもステンレス板の質感を損なうことがない。
【００２５】
また、カバー部２００Ａの表側及び裏側に制振シート３００Ａを取り付けると、より制振効果が高まるので、トイレットペーパー５００を引き出す際のカラカラという異音の発生を効果的に抑制することができる。
【００２６】
さらに、制振シート３００Ａに光触媒である酸化チタン及び／又は芳香剤を混合することも可能である。この酸化チタンや芳香剤は、マイクロカプセルに封入することによって制振シート３００Ａを構成するゴムに混合することが可能となる。
【００２７】
このように、制振シート３００Ａに酸化チタンを混合すると、トイレ室にありがちな臭いの元である、例えば、アンモニア、硫化水素、メタルメルカプタンを分解することができるので、トイレ室にありがちな臭いの消臭を図ることができる。また、酸化チタンの殺菌、抗菌作用によって、トイレ室の衛生環境を良好に維持することも可能になる。また、酸化チタンの他に芳香剤をも制振シートに混合しておくと、酸化チタンによる消臭効果の他に、芳香剤による芳香効果も加味されるというメリットがある。
【００２８】
また、上述した実施の形態では、カバー部２００Ａにのみ、制振シート３００Ａを取り付けるとしたが、保持板部１１０Ａにも制振シート３００Ａを取り付けることも可能である。このように保持板部１１０Ａにも制振シート３００Ａを取り付けると、トイレットペーパー５００を引き出す際のカラカラという異音の発生を効果的に抑制することができる。
【００２９】
次に、本発明の第２の実施例に係るトイレットペーパーホルダーＢについて、図２を参照しつつ説明する。
このトイレットペーパーホルダーＢは、ロール状に巻回されたトイレットペーパー５００を回転可能に保持するペーパー保持部１００Ｂと、このペーパー保持部１００Ｂに保持されたトイレットペーパー５００の上方に被さるカバー部２００Ｂと、このカバー部２００Ｂに取り付けられた制振シート３００Ｂとを有しており、前記カバー部２００Ｂは２枚の板材２１０Ｂ、２２０Ｂからなり、前記制振シート３００Ｂは２枚の板材２１０Ｂ、２２０Ｂの間に挟み込まれている。
【００３０】
この第２の実施の形態に係るトイレットペーパーホルダーＢが、上述した第１の実施の形態に係るトイレットペーパーホルダーＡと相違する点は、カバー部２００Ｂのみである。すなわち、他の部分、例えば、ペーパー保持部１００Ｂは、トイレットペーパー５００の円筒形の筒部５１０に挿入される図示しない支持軸と、この支持軸の両端を保持する一対の平行になった保持板部１１０Ｂと、この保持板部１１０Ｂが連結される取付部１２０Ｂとを有している点や、前記支持軸は、合成樹脂製であって、両端部には蛇腹部が形成されている点や、この支持軸の両端面には、前記保持板部１１０Ｂに設けられた凹部（図示省略）に嵌まり込む突起（図示省略）が突設されている点や、蛇腹部を若干縮めた状態で前記突起を穴（図示省略）に嵌め込むことによって、支持軸がペーパー保持部１００Ｂに取り付けられる点は同一である。よって、異なるカバー部２００Ｂのみを説明する。
【００３１】
かかるカバー部２００Ｂは、ステンレス板からなる２枚の略１／４円弧状の板材２１０Ｂ、２２０Ｂと、この板材２１０Ｂ、２２０Ｂの間に挟み込まれる制振シート３００Ｂとから構成されている。２枚の板材２１０Ｂ、２２０Ｂの間に挟み込まれる制振シート３００Ｂは、両面粘着テープや接着剤等の適宜な手段によって一体化されている。
【００３２】
このように構成されたカバー部２００Ｂであると、トイレットペーパー５００自身が歪んでいてカバー部２００Ｂが上下動したとしても、制振シート３００Ｂの作用によりカラカラという異音は発生しないのである。また、このようなカバー部２００Ｂは、第１の実施の形態に係るトイレットペーパーホルダーＢにおけるカバー部２００Ｂより重くなるので、トイレットペーパー５００の切断が容易になるというメリットも奏する。
【００３３】
また、このようなカバー部２００Ｂを有するトイレットペーパーホルダーＢであると、制振シート３００Ｂは、使用者の目に触れることがないので、カバー部２００Ｂをステンレス板で構成してもステンレス板の質感を損なうことがない。
【００３４】
この第２の実施の形態に係るトイレットペーパーホルダーＢにおけるカバー部２００Ｂを構成する制振シート３００Ｂに光触媒である酸化チタン及び／又は芳香剤を混合することも可能である。この酸化チタンは、マイクロカプセルに封入することによって制振シート３００Ｂを構成するゴムに混合することが可能となる。また、酸化チタンの他に芳香剤をも制振シートに混合しておくと、酸化チタンによる消臭効果の他に、芳香剤による芳香効果も加味されるというメリットがある。
【００３５】
この場合には、図３に示すように、前記カバー部２００Ｂを構成する２枚の板材２１０Ｂ、２２０Ｂには、開口２３０Ｂを開設し、そこから前記制振シート３００Ｂが露出されるようにすることが大切である。すなわち、制振シート３００Ｂを外気に触れさせることによって、酸化チタンの消臭、殺菌、抗菌作用や、芳香剤による芳香というメリットを発揮させることが可能となるからである。
【００３６】
さらに、上述した実施の形態では、カバー部２００Ｂにのみ、制振シート３００Ｂを取り付けるとしたが、保持板部１１０Ｂにも制振シート３００Ｂを取り付けることも可能である。このように保持板部１１０Ｂにも制振シート３００Ｂを取り付けると、トイレットペーパー５００を引き出す際のカラカラという異音の発生を効果的に抑制することができる。
【００３７】
なお、上述した２つの実施例及びその変形例において、ペーパー保持部１００Ａ、１００Ｂやカバー部２００Ａ、２００Ｂはステンレス板からなるとしたが、合成樹脂やその他の素材から構成してもよいことはいうまでもない。
【図面の簡単な説明】
【００３８】
【図１】本発明の第１の実施の形態に係るトイレットペーパーホルダーの概略的斜視図である。
【図２】本発明の第２の実施の形態に係るトイレットペーパーホルダーの概略的一部破断斜視図である。
【図３】本発明の第２の実施の形態に係るトイレットペーパーホルダーの変形例の概略的一部破断斜視図である。
【符号の説明】
【００３９】
１００Ａ  ペーパー保持部
２００Ａ  カバー部
３００Ａ  制振シート
５００    トイレットペーパー
【図１】
2005323859.tif 000003
【図２】
2005323859.tif 000004
【図３】
2005323859.tif 000005